(57)【特許請求の範囲】
【請求項１】
クラウン部、フェース部、及びソール部を有するヘッド本体と、
前記ソール部に着脱自在に取り付け可能な少なくとも１つのウエイトと、
前記ソール部に着脱自在に取り付け可能なカバーキットと、
を備え、
前記カバーキットは、前記ソール部の少なくとも一部を覆うとともに装飾が施されたカバー、及び当該カバーに取り付けられる少なくとも１つの補助ウエイト、のうち、少なくとも前記カバーを備え、
前記カバーは、前記ウエイトとは異なる形状であり、
前記カバーキットの重量が、前記ウエイトの重量と同じであり、
前記ソール部は、前記ウエイトが取り付けられた第１の態様と、前記カバーキットが取り付けられた第２の態様と、を選択的にとり得るように構成されている、ゴルフクラブヘッド。
【請求項２】
前記ソール部は、前記ウエイトが取り付けられる少なくとも１つの凹部を備え、
前記カバーは、前記凹部に着脱自在に係合する凸部を備えている、請求項１に記載のゴルフクラブヘッド。
【請求項３】
前記カバーキットは、前記カバーと、前記少なくとも１つの補助ウエイトと、を備えている、請求項１または２に記載のゴルフクラブヘッド。
【請求項４】
前記補助ウエイトは、前記カバーに対して着脱自在に取り付けられている、請求項３に記載のゴルフクラブヘッド。
【請求項５】
前記カバーは、前記ソール部と略同じ形状である、請求項１から４のいずれかに記載のゴルフクラブヘッド。
【請求項６】
クラウン部、フェース部、ソール部、及び前記ソール部に着脱自在に取り付け可能な少なくとも１つのウエイトを備えたゴルフクラブヘッドを提供するステップと、
前記ソール部の少なくとも一部を覆うとともに装飾が施されたカバー、及び当該カバーに取り付けられる少なくとも１つの補助ウエイト、のうち、少なくとも前記カバーを備え、前記ソール部に着脱自在に取り付け可能な複数種のカバーキットの中から、少なくとも１つの前記カバーキットを提供するステップと、
を備え、
前記カバーは、前記ウエイトとは異なる形状であり、
前記カバーキットの重量が、前記ウエイトの重量と同じであり、当該カバーキットは、前記ウエイトに代えて、前記ソール部に取り付けられるように構成されている、ゴルフクラブヘッドの提供方法。
【発明の詳細な説明】
【技術分野】
【０００１】
本発明は、ゴルフクラブヘッド、及びゴルフクラブヘッドの提供方法に関する。
【背景技術】
【０００２】
近年、ゴルフクラブには種々の改良が施され、例えば、特許文献１では、ゴルフクラブヘッドを複数のパーツに分解することができ、その一部を交換できるように構成されたゴルフクラブヘッドが提案されている。より詳細に説明すると、このゴルフクラブヘッドは、主ボディ部材と、副ボディ部材とで構成され、主ボディ部材に対して、副ボディ部材を着脱自在に構成している。副ボディ部材は、ヘッドのヒール側からクラウン側まで延びる形状となっており、副ボディ部材を交換することで、ユーザの好みに応じて、ヘッドのデザインなどを変更することができる。
【先行技術文献】
【特許文献】
【０００３】
【特許文献１】特開２０１２−５０００４４号公報
【発明の概要】
【発明が解決しようとする課題】
【０００４】
上記のようなゴルフクラブヘッドは、ヘッドの一部を交換することで、ヘッドの特性を変化させることを目的としているが、変化が大きすぎると、スイング特性が変化し、ユーザに違和感が生じるおそれがある。
【０００５】
本発明は、上記問題を解決するためになされたものであり、デザインを変更可能でありながら、スイング特性が大きく変化するのを抑制することができるゴルフクラブヘッド、及びゴルフクラブヘッドの提供方法を提供することを目的とする。
【課題を解決するための手段】
【０００６】
本発明に係るゴルフクラブヘッドは、クラウン部、フェース部、及びソール部を有するヘッド本体と、前記ソール部に着脱自在に取り付け可能な少なくとも１つのウエイトと、前記ソール部に着脱自在に取り付け可能なカバーキットと、を備え、前記カバーキットは、前記ソール部の少なくとも一部を覆うとともに装飾が施されたカバー、及び当該カバーに取り付けられる少なくとも１つの補助ウエイト、のうち、少なくとも前記カバーを備え、前記カバーキットの重量が、前記ウエイトの重量と同じであり、前記ソール部は、前記ウエイトが取り付けられた第１の態様と、前記カバーキットが取り付けられた第２の態様と、を選択的にとり得るように構成されている。
【０００７】
この構成によれば、ヘッド本体に取り付けられていたウエイトを取り外した後、これに代ってカバーキットを取り付けることができるように構成されている。そして、カバーキットのカバーの表面には装飾が施されているため、カバーを取り付けることで、ヘッドのデザインを、容易に変更することができる。また、カバーキットの重量は、取り外したウエイトの総重量と同じであるため、スイングのフィーリングが変わるのを抑制することができる。
【０００８】
上記ゴルフクラブヘットにおいて、前記ソール部は、前記ウエイトが取り付けられる少なくとも１つの凹部を備え、前記カバーは、前記凹部に着脱自在に係合する凸部を備えることができる。こうすることで、カバーをソール部に取り付けるときに、ソール部に対する位置決めを容易に行うことができる。
【０００９】
上記ゴルフクラブヘットにおいて、前記カバーキットは、前記カバーと、前記少なくとも１つの補助ウエイトと、を備えることができる。
【００１０】
上記ゴルフクラブヘットにおいて、前記補助ウエイトは、前記カバーに対して着脱自在に取り付けられることかできる。こうすることで、カバーキットを取り付けたときに、カバーキットの重量を変更できるため、ユーザの好みに応じて、ヘッドの重心位置を変更することができる。
【００１１】
本発明に係るゴルフクラブヘッドの提供方法は、クラウン部、フェース部、ソール部、及び前記ソール部に着脱自在に取り付け可能な少なくとも１つのウエイトを備えたゴルフクラブヘッドを提供するステップと、前記ソール部の少なくとも一部を覆うとともに装飾が施されたカバー、及び当該カバーに取り付けられる少なくとも１つの補助ウエイト、のうち、少なくとも前記カバーを備え、前記ソール部に着脱自在に取り付け可能な複数種のカバーキットの中から、少なくとも１つの前記カバーキットを提供するステップと、を備え、前記カバーキットの重量が、前記ウエイトの重量と同じである。
【発明の効果】
【００１２】
本発明によれば、デザインを変更可能でありながら、スイング特性が大きく変化するのを抑制することができる。
【図面の簡単な説明】
【００１３】
【図１】本発明の一実施形態に係るゴルフクラブセットのうちの１つのゴルフクラブヘッドの基準状態の斜視図である。
【図２】図１の平面図である。
【図３】、図１及び図２のゴルフクラブヘッドを下方から見た底面図である。
【図４】ソール部の一部拡大断面図である。
【図５】ソール部とカバーキットの断面図である。
【図６】カバーの斜視図である。
【図７】カバーの他の例を示す断面図である。
【発明を実施するための形態】
【００１４】
以下、本発明に係るゴルフクラブヘッドの一実施形態について、図面を参照しつつ説明する。図１は本実施形態に係るゴルフクラブヘッドの基準状態の斜視図、図２は図１の平面図である。なお、ゴルフクラブヘッドの基準状態については、後述する。
【００１５】
＜１．ゴルフクラブヘッドの概要＞
本実施形態に係るゴルフクラブヘッド（以下、単に「ヘッド」ということがある）は、ウッド型であり、ヘッド本体１０、これに取り付けられるウエイト７、及びヘッド本体の一部を覆うカバーキット８、を備えている。以下、各部材を詳細に説明する。
【００１６】
＜１−１．ヘッド本体の概要＞
図１に示すように、本実施形態に係るヘッド本体１０は、中空構造であり、フェース部１、クラウン部２、ソール部３、サイド部４、及びホーゼル部５によって壁面が形成されている。フェース部１は、ボールを打球する面であるフェース面を有しており、クラウン部２はフェース部１と隣接し、ヘッド本体１０の上面を構成する。ソール部３は、ヘッドの底面を構成し、フェース部１及びサイド部４と隣接する。また、サイド部４は、クラウン部２とソール部３との間の部位であり、フェース部１のトウ側からヘッド本体１０のバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。なお、ソール部３については、上述したウエイト７を装着可能に構成されているが、この点については、後述する。
【００１７】
ここで、上述した基準状態について説明する。まず、図１及び図２に示すように、上記中心軸線Ｚが地面（水平面）に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトウ−ヒール方向と称し、このトウ−ヒール方向に対して垂直であり且つ地面に対して平行な方向をフェース−バック方向と称することとする。
【００１８】
本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るヘッド本体１０では、サイド部４を有しているが、例えば、サイド部４を有さず、ソール部３がクラウン部２と直接連結されている場合には、ソール部３とクラウン部２との間の稜線が、両者の境界となる。また、明確な稜線が形成されていない場合には、ヘッド本体を基準状態に設置し、これをヘッド本体の重心の真上から見たときの輪郭が境界となる。
【００１９】
なお、ヘッド本体１０の体積の上限は特に定めないが、実用上、例えば５００ｃｍ3以下が望ましく、またＲ＆ＡやＵＳＧＡのルール規制に従う場合には４７０ｃｍ3以下が望ましい。
【００２０】
また、ヘッド本体１０は、例えば、比重が４．４〜５．０程度のチタン合金（たとえばＴｉ−６Ａｌ−４Ｖ）で形成することができる。また、チタン合金以外にも、例えばステンレス鋼、マレージング鋼、アルミ合金、マグネシウム合金、またはアモルファス合金などの中から１種または２種以上を用いて形成することもできる。
【００２１】
なお、本実施形態に係るヘッド本体１０は、少なくともソール部３を有するヘッド構造体と、他の部分を組み合わせることで構成される。例えば、フェース部１のみを別部材で構成してヘッド構造体に取り付けることでヘッドを構成したり、あるいはクラウン部２やサイド部４に開口を設けたヘッド構造体を形成し、この開口を別部材で塞ぐことでヘッド本体１０を構成することもできる。
【００２２】
＜１−２．ソール部の概要とウエイト＞
上述したように、ソール部３にはウエイト７を着脱自在に取り付け可能となっている。本実施形態では、ソール部３の２箇所にウエイト７が取り付け可能となっているが、ウエイト７の数は特には限定されない。なお、ウエイト７の取付構造は、Ｒ＆Ａ（Ｒｏｙａｌ ａｎｄ Ａｎｃｉｅｎｔ Ｇｏｌｆ Ｃｌｕｂ ｏｆ Ｓａｉｎｔ Ａｎｄｒｅｗｓ；全英ゴルフ協会）が定めるゴルフ規則を満たしている。すなわち、このウエイトの取付構造は、Ｒ＆Ａが定める、「付属規則II クラブのデザイン」の「１ クラブ」における「１ｂ 調整性」で規定される要件を満たしている。この「１ｂ 調整性」が規定する要件は、下記の（ｉ）、（ii）及び（iii）である。
（ｉ）容易に調整できるものでないこと。
（ii）調整可能部分はすべてしっかりと固定され、ラウンド中に緩むことの合理的な可能性がないこと。
（iii）調整後のすべての形状が規則に適合すること。
【００２３】
ヘッド本体１０のソール部３は、次のように構成されている。図３はヘッド本体をソール部側から見た図、図４はヘッド本体のソール部の拡大断面図である。図３及び図４に示すように、ソール部３の表面には、２つの凹部３１が形成されており、この凹部３１の底面にはネジ穴３２がそれぞれ形成されている。そして、この凹部３１にウエイト７が取り付けられる。ウエイト７は、平面視円形のウエイト本体７１と、このウエイト本体７１の底面に形成された雄ねじ部７２とを備えている。したがって、ウエイト７は、雄ねじ部７２を凹部３１のネジ穴３２にねじ込むことで、凹部３１に固定される。
【００２４】
＜２．カバーキット＞
次に、カバーキット８について説明する。図５はカバーキットの斜視図、図６は図５の断面図である。カバーキット８は、ソール部３を覆うカバー８１と、このカバー８１に取り付けられる少なくとも１つの補助ウエイト８２と、を備えている。そして、カバー８１は、板状のカバー本体８１１と、このカバー本体８１１から突出する２つの突部８１２を備えている。カバー本体８１１は、ソール部３と概ね同じ形状をなし、ソール部３の表面に沿って延びるように湾曲している。そして、カバー本体８１１の表面には装飾が施される一方、裏面には、上述した２つの突部８１２が形成されている。２つの突部８１２の位置は、ソール部３の凹部３１の位置に対応しており、カバー本体８１１をソール部３に取り付けたとき、突部８１２が凹部３１に嵌まるようになっている。また、突部８１２には、カバー本体８１１の表面まで延びる貫通孔８１３が形成されており、この貫通孔８１３にねじ９が挿通され、このねじ９が凹部３１のネジ穴３２にねじ込まれる。
【００２５】
また、カバー本体８１１の表面には、複数の凹部８１４が形成されており、この凹部８１４に補助ウエイト８２がそれぞれ固定されている。
【００２６】
カバー本体８１１は、金属、樹脂材料など種々の材料で形成することができる。また、補助ウエイト８２は、主として金属で形成される。
【００２７】
以上のように構成されたカバーキット８の重量は、ソール部３に取り付けられているウエイト７の合計重量と同一になるように調整されている。但し、完全な同一である必要はなく、例えば、−３〜３ｇ程度の相違があってもよい。
【００２８】
＜３．カバーキットの使用方法＞
次に、上記のように構成されたヘッド本体１０及びカバーキット８の使用方法について説明する。初期状態（第１の態様）として、ヘッド本体１０には上述したウエイト７が取り付けられており、このウエイト７によって、ヘッド本体１０の重心を調整している。したがって、ウエイト７を重量の異なるものに交換することで、ヘッド本体１０の重心の位置を変更することができる。
【００２９】
また、これらウエイト７の代わりに、上述したカバーキット８を取り付けることができる。まず、ウエイト７を工具により回転させ、ウエイト７の雄ねじ部７２を、ソール部３の凹部３１のネジ穴３２から取り外す。続いて、カバーキット８のカバー８１の２つの突部８１２をソール部３の凹部３１に嵌め込む。これにより、カバー８１は、ソール部３上に位置決めされ、ソール部３を覆うように配置される。次に、カバー本体８１１の表面側から、各貫通孔８１３にねじ９を挿通し、各ねじ９をソール部３の凹部３１のネジ穴３２にねじ込む。これにより、カバー８１がソール部３に固定される（第２の態様）。
【００３０】
＜４．特徴＞
以上のように、本実施形態によれば、ヘッド本体１０に取り付けられていたウエイト７を取り外した後、これに代ってカバーキット８を取り付けることができるように構成されている。カバーキット８のカバー８１の表面には装飾が施されているため、カバー８１を取り付けることで、ヘッドのデザインを、容易に変更することができる。
【００３１】
また、カバーキット８の重量は、取り外したウエイト７の重量と同じであるため、スイングのフィーリングが変わるのを抑制することができる。
【００３２】
特に、複数種のデザインや補助ウエイト８１の位置の異なるカバーキット８を準備しておけば、ユーザの好みに応じて、ヘッドのデザインや重心位置を変化させることができる。したがって、例えば、１種類以上のカバーキット８をヘッド本体１０及びウエイト７とセットにして販売するほか、カバーキット８を別売りにして、ユーザの好みに応じて購入できるようにすることもできる。
【００３３】
また、本実施形態に係るゴルフクラブヘッドでは、カバーキット８を用いなくても利用することができる。すなわち、デザインの変更等が不要であれば、初期状態のものをそのまま利用することができ、重心を変更したい場合には、ウエイト７を交換すればよい。
【００３４】
＜５．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００３５】
＜５．１＞
カバー本体８１１の形状は、特には限定されず、ソール部３を覆う形状であればよい。したがって、ソール部３の一部を覆う形状のほか、上述したように、ソール部３と、フェース部１、サイド部４、及びクラウン部２との境界まで延びるような形状でもよい。また、カバー本体８１１のデザインは、種々のものを適用することが可能であり、種々の絵、図形、彩色を施したもののほか、カバー本体８１１の表面に凹凸を形成し、これによってデザインを構成することもできる。
【００３６】
＜５．２＞
上記実施形態では、補助ウエイト８２をカバー８１に固定しているが、補助ウエイト８２を着脱自在に構成することもできる。これにより、補助ウエイト８２を交換することができるため、ヘッドの重心を調整することができる。
【００３７】
＜５．３＞
補助ウエイト８２の位置は、特には限定されず、カバー８１の表面の任意の位置のほか、例えば、図７に示すように、突部８１２に補助ウエイト８２を取り付けることができる。この場合、貫通孔８１３を塞がないように、補助ウエイト８２を筒型に形成することが好ましい。このように、補助ウエイト８２を突部８１２に設けることで、元々ヘッド本体１０に取り付けられていたウエイト７の位置と同じ位置に重量を配分することができるため、カバーキット８をヘッド本体１０に取り付けたときに、重心の位置が大きく変わるのを防止することかできる。したがって、スイングのフィーリングが変化するのをさらに抑制することができる。
【００３８】
＜５．４＞
補助ウエイト８２の数、形状は特には限定されず、また補助ウエイト８２の取り付け方法も特には限定されない。また、補助ウエイト８２を設けないようにすることもできる。この場合、カバーキット８は、カバー８１のみで構成され、このカバー８１の重量が、ウエイト７の総重量と同じになる。
【００３９】
＜５．５＞
カバー本体８１１の取り付け方法は、特には限定されない。上記実施形態では、ねじ９によりソール部に固定しているが、着脱自在に固定できれば、嵌め込み式など種々の方法が適用できる。カバー本体８１１には、突部８１２が設けられているが、突部８１２を設けないようにしてもよい。例えば、突部８１２が設けられていないカバー本体８１１をねじ９によってソール部３のネジ穴３２にねじ止めすることもできる。
【００４０】
＜５．６＞
ウエイト７のソール部３へ固定方法は、特には限定されず、上記のようにねじ止め以外であっても、ソール部３に着脱自在に取り付けることができればよい。また、ウエイト７の数も特には限定されない。
＜５．７＞
上記実施形態では、ウッド型のゴルフクラブヘッドについて説明したが、本発明に係るゴルフクラブヘッドは、いわゆるユーティリティ型及びハイブリッド型にも適用することができる。
【符号の説明】
【００４１】
１  ：フェース部
２  ：クラウン部
３  ：ソール部
７  ：ウエイト
８  ：カバーキット
１０：ヘッド本体
３１：凹部
８１：カバー
８２：補助ウエイト
８１４：凹部
【図１】
0006411090.tif 000002
【図２】
0006411090.tif 000003
【図３】
0006411090.tif 000004
【図４】
0006411090.tif 000005
【図５】
0006411090.tif 000006
【図６】
0006411090.tif 000007
【図７】
0006411090.tif 000008